(57)【要約】【課題】２丁製本時の針金４カ所打ちのスティッチャーヘッド及びクリンチャの位置調節が短時間に行える針金綴じユニットを提供する。【解決手段】スチィッチャーヘッド３ａ、３ｂ及びそれと隣り合う増設用ヘッド取付ブロック１０ａ、１０ｂの対、及びそれに対応するクリンチャ４ａ、４ｂ及び増設用クリンチャ取付ブロック１３ａ、１３ｂの対の各対が一体的に、かつ一方側のスティッチャーヘッド及び増設用ヘッド取付ブロックの対とクリンチャ及び増設用クリンチャ取付ブロックの対とからなる組と、他方側のスティッチャーヘッド及び増設用ヘッド取付ブロックの対とクリンチャ及び増設用クリンチャ取付ブロックの対とからなる組の各組が一体的にスライド運動し得る。スチィッチャーヘッド及びそれと隣り合う増設用ヘッド取付ブロック間の間隔とクリンチャ及びそれと隣り合う増設用クリンチャ取付ブロック間の間隔とが調節され得る。【選択図】図１
2018103372.tif 000002
【特許請求の範囲】
【請求項１】
中綴じ製本機の綴じ位置に備えられ、前記綴じ位置に用紙束が供給されるたびに、前記用紙束の所定位置を針金によって綴じる針金綴じユニットであって、
互いに平行にのびる水平な上側および下側スライドガイドと、
前記上側スライドガイドにスライド可能に取り付けられた一対のスティッチャーヘッドと、
前記下側スライドガイドにスライド可能に取り付けられ、前記一対のスティッチャーヘッドの下方において前記一対のスティッチャーヘッドに対向する一対のクリンチャと、を有し、
前記一対のスティッチャーヘッドのうちの一方のスティッチャーヘッド、および対応する前記クリンチャからなる対と、前記一対のスティッチャーヘッドのうちの他方のスティッチャーヘッド、および対応する前記クリンチャからなる対との間隔が調節可能とされた針金綴じユニットにおいて、
前記一対のスティッチャーヘッドの外側または内側において前記上側スライドガイドに対しスライド可能に取り付けられた一対の増設用ヘッド取付ブロックと、
前記上側スライドガイドの一端側において隣り合う前記スティッチャーヘッドおよび前記増設用ヘッド取付ブロックを連結する第１の連結手段と、
前記上側スライドガイドの他端側において隣り合う前記スティッチャーヘッドおよび前記増設用ヘッド取付ブロックを連結する第２の連結手段と、
前記一対のクリンチャの外側または内側において前記下側スライドガイドに対しスライド可能に取り付けられた一対の増設用クリンチャ取付ブロックと、
前記下側スライドガイドの一端側において隣り合う前記クリンチャおよび前記増設用クリンチャ取付ブロックを連結する第３の連結手段と、
前記下側スライドガイドの他端側において隣り合う前記クリンチャおよび前記増設用クリンチャ取付ブロックを連結する第４の連結手段と、を備えたものであることを特徴とする針金綴じユニット。
【請求項２】
前記隣り合う前記スティッチャーヘッドおよび前記増設用ヘッド取付ブロック間の間隔、および前記隣り合う前記クリンチャおよび前記増設用クリンチャ取付ブロック間の間隔が調節可能になっていることを特徴とする請求項１に記載の針金綴じユニット。
【発明の詳細な説明】
【技術分野】
【０００１】
本発明は、中綴じ製本機の綴じ位置に備えられ、綴じ位置に用紙束が供給されるたびに、用紙束の所定位置を針金によって綴じる針金綴じユニットに関するものである。
【背景技術】
【０００２】
この種の針金綴じユニットは、通常、一対のスティッチャーヘッドと、一対のスティッチャーヘッドの下方にこれに対向して配置された一対のクリンチャを備えており、中綴じ製本機の初期設定時に、用紙束の針金打ち込み位置の配置に応じて一対のスティッチャーヘッド間の間隔と、それに対応して一対のクリンチャ間の間隔が自動的に調節されるようになっている（例えば、特許文献１、２参照）。
【０００３】
そして、中綴じ製本機が動作を開始し、綴じ位置に用紙束が供給されるたびに、一対のスティッチャーヘッドが待機位置から一対のクリンチャに向けて下降し、用紙束の２カ所にスティッチャーヘッドによって針金が打ち込まれ、針金の用紙束から下方に突き出た脚部分がクリンチャによって曲げられ、用紙束の２カ所が針金綴じされる（針金２カ所打ち）。
【０００４】
ところで、中綴じ製本のなかには２丁製本と呼ばれる方法がある。２丁製本は、２面付けした折丁を１つの単位として丁合等を行って中綴じ製本し、その後、断裁して２冊分の冊子を同時に製造する方法である。
【０００５】
２丁製本においては、折丁（用紙束）の４カ所に針金を打ち込んで２冊分の冊子を同時に針金綴じする必要がある（針金４カ所打ち）。そのため、針金綴じユニットにさらに２つのスティッチャーヘッドとそれらに対応する２つのクリンチャを増設することになる。
この場合、増設用スティッチャーヘッドは既存の針金２カ所打ち用の一対のスティッチャーヘッドの両外側に取り付けられるとともに、増設用のクリンチャが既存の針金２カ所打ち用の一対のクリンチャの両外側に取り付けられ、増設用スティッチャーヘッドおよび増設用クリンチャのそれぞれ位置が手動で調節可能とされる。
【０００６】
そして、一方側のスティッチャーヘッド対およびそれに対応するクリンチャ対の組を２冊分の冊子のうちの一方の冊子の針金綴じ用とする一方、他方側のスティッチャーヘッド対およびそれに対応するクリンチャ対の組を２冊分の冊子のうちの他方の冊子の針金綴じ用として、中綴じ製本機の初期設定時に、まず、２冊分の冊子の配置に応じて、一対の針金２カ所打ち用のスティッチャーヘッド間の間隔と、それに対応して一対の針金２カ所打ち用のクリンチャ間の間隔が調節される。
【０００７】
その後、冊子毎の針金打ち込み位置の配置に応じて、一方の針金２カ所打ち用のスティッチャーヘッドおよびそれと隣り合う増設用スティッチャーヘッド間の間隔と、それに対応して一方のクリンチャおよびそれと隣り合う増設用クリンチャ間の間隔が手動で調節されるとともに、他方の針金２カ所打ち用のスティッチャーヘッドおよび関係する増設用スティッチャーヘッド間の間隔と、それに対応して他方のクリンチャおよび関係する増設用クリンチャ間の間隔が調節される。
しかしながら、このスティッチャーヘッドおよびクリンチャの位置の調節は手作業で行う必要があり、そのため、調節作業に時間がかかるという問題があった。
【先行技術文献】
【特許文献】
【０００８】
【特許文献１】特開２００５−１１２５２３号公報
【特許文献２】特開２００７−２８４１５８号公報
【発明の概要】
【発明が解決しようとする課題】
【０００９】
したがって、本発明の課題は、２丁製本時の針金４カ所打ちのスティッチャーヘッドおよびクリンチャの位置調節が短時間で行える針金綴じユニットを提供することにある。
【課題を解決するための手段】
【００１０】
上記課題を解決するため、本発明は、中綴じ製本機の綴じ位置に備えられ、前記綴じ位置に用紙束が供給されるたびに、前記用紙束の所定位置を針金によって綴じる針金綴じユニットであって、互いに平行にのびる水平な上側および下側スライドガイドと、前記上側スライドガイドにスライド可能に取り付けられた一対のスティッチャーヘッドと、前記下側スライドガイドにスライド可能に取り付けられ、前記一対のスティッチャーヘッドの下方において前記一対のスティッチャーヘッドに対向する一対のクリンチャと、を有し、前記一対のスティッチャーヘッドのうちの一方のスティッチャーヘッド、および対応する前記クリンチャからなる対と、前記一対のスティッチャーヘッドのうちの他方のスティッチャーヘッド、および対応する前記クリンチャからなる対との間隔が調節可能とされた針金綴じユニットにおいて、前記一対のスティッチャーヘッドの外側または内側において前記上側スライドガイドに対しスライド可能に取り付けられた一対の増設用ヘッド取付ブロックと、前記上側スライドガイドの一端側において隣り合う前記スティッチャーヘッドおよび前記増設用ヘッド取付ブロックを連結する第１の連結手段と、前記上側スライドガイドの他端側において隣り合う前記スティッチャーヘッドおよび前記増設用ヘッド取付ブロックを連結する第２の連結手段と、前記一対のクリンチャの外側または内側において前記下側スライドガイドに対しスライド可能に取り付けられた一対の増設用クリンチャ取付ブロックと、前記下側スライドガイドの一端側において隣り合う前記クリンチャおよび前記増設用クリンチャ取付ブロックを連結する第３の連結手段と、前記下側スライドガイドの他端側において隣り合う前記クリンチャおよび前記増設用クリンチャ取付ブロックを連結する第４の連結手段と、を備えたものであることを特徴とする針金綴じユニットを構成したものである。
【００１１】
上記構成において、好ましくは、前記隣り合う前記スティッチャーヘッドおよび前記増設用ヘッド取付ブロック間の間隔、および前記隣り合う前記クリンチャおよび前記増設用クリンチャ取付ブロック間の間隔が調節可能になっている。
【発明の効果】
【００１２】
本発明によれば、スチィッチャーヘッドおよびそれと隣り合う増設用ヘッド取付ブロックの対、およびそれに対応するクリンチャおよび増設用クリンチャ取付ブロックの対の各対が一体的に、かつ一方側のスティッチャーヘッドおよび増設用ヘッド取付ブロックの対とクリンチャおよび増設用クリンチャ取付ブロックの対とからなる組と、他方側のスティッチャーヘッドおよび増設用ヘッド取付ブロックの対とクリンチャおよび増設用クリンチャ取付ブロックの対とからなる組の各組が一体的にスライド運動し得る。
【００１３】
そして、針金２カ所打ちの場合は、増設用ヘッド取付ブロックおよび増設用クリンチャ取付ブロックに増設用スティッチャーヘッドおよび増設用クリンチャは取り付けられず、中綴じ製本機の初期設定時に、中綴じ製本すべき用紙束の針金打ち込み位置の配置に応じて、一方のスティッチャーヘッドおよびそれに対応するクリンチャからなる対と、他方のスティッチャーヘッドおよびそれに対応するクリンチャからなる対との間の間隔が調節される。
【００１４】
また、２丁製本で針金４カ所打ちする場合は、増設用ヘッド取付ブロックに増設用スティッチャーヘッドが取り付けられる一方、増設用クリンチャ取付ブロックには増設用クリンチャが取り付けられて、対応する増設用スティッチャヘッドに対向配置される。
【００１５】
そして、必要な場合には、２冊分の冊子のそれぞれの針金打ち込み位置の配置に応じて、上側スライドガイドの一端側の隣り合うスチィッチャーヘッドおよび増設用スティッチャーヘッド間の間隔と、それに対応して下側スライドガイドの一端側の隣り合うクリンチャおよび増設用クリンチャ間の間隔が調節されるとともに、上側スライドガイドの他端側の隣り合うスティッチャーヘッドおよび増設用スティッチャーヘッド間の間隔と、それに対応して下側スライドガイドの他端側の隣り合うクリンチャおよび増設用クリンチャ間の間隔が調節される。
【００１６】
次いで、２冊分の冊子の配置に応じて一対のスティッチャーヘッド間の間隔と、一対のクリンチャ間の間隔とが、同時に調節される。このとき、各スティッチャーヘッドとそれと隣り合う増設用スティッチャーヘッドとの対、および各クリンチャとそれと隣り合う増設用クリンチャとの対はそれぞれ一体的にスライドするので、スティッチャーヘッドおよびそれと隣り合う増設用スティッチャーヘッド間の間隔、およびクリンチャおよびそれと隣り合う増設用クリンチャ間の間隔は維持される。
それによって、２丁製本時の針金４カ所打ちのスティッチャーヘッドおよびクリンチャの位置調節が短時間で行える。
【図面の簡単な説明】
【００１７】
【図１】本発明の１実施例による針金綴じユニットの概略構成を示す正面図である。
【図２】針金綴じユニットの２丁製本の針金４カ所打ち時の概略構成を示す図１に類似の図である。
【図３】針金綴じユニットの２丁製本の針金４カ所打ち時の概略構成を示す図１に類似の図である。
【図４】図１の針金綴じユニットが組み込まれた中綴じ製本機の制御部のディスプレイに表示された初期設定画面の１例を示す図である。
【発明を実施するための形態】
【００１８】
以下、添付図面を参照しつつ、本発明の構成を好ましい実施例に基づいて説明する。
図１は、本発明の１実施例による針金綴じユニットの正面図である。
図１を参照して、本発明による針金綴じユニットは、フレーム（図示しない）に取り付けられ、上下に間隔をあけて互いに平行にのびる水平な上側および下側スライドガイド１、２と、上側スライドガイド１にスライド可能に取り付けられた一対のスティッチャーヘッド３ａ、３ｂと、下側スライドガイド２にスライド可能に取り付けられ、一対のスティッチャーヘッド３ａ、３ｂに対向する一対のクリンチャ４ａ、４ｂを有している。
【００１９】
針金綴じユニットは、また、上側スライドガイド１に平行に上側スライドガイド１の両端側から上側スライドガイドの中央に向けてのび、基端側においてフレーム（図示しない）に対し軸まわりに回転可能に取り付けられた一対の上側送りねじ５ａ、５ｂを有している。
【００２０】
一対の上側送りねじ５ａ、５ｂはそれぞれの基端側にプーリー６ａ、６ｂを備えており、一対の上側送りねじ５ａ、５ｂのうちの一方の上側送りねじ５ａには一対のスティッチャーヘッド３ａ、３ｂのうちの一方のスティッチャーヘッド３ａが螺合し、一対の上側送りねじ５ａ、５ｂのうちの他方の上側送りねじ５ｂには一対のスティッチャーヘッド３ａ、３ｂのうちの他方のスティッチャーヘッド３ｂが螺合している。
【００２１】
針金綴じユニットは、さらに、下側スライドガイド２に平行に下側スライドガイド２の両端側から下側スライドガイドの中央に向けてのび、基端側においてフレーム（図示しない）に対し軸まわりに回転可能に取り付けられた一対の下側送りねじ７ａ、７ｂを有している。
【００２２】
一対の下側送りねじ７ａ、７ｂは、それぞれの基端側にプーリー６ｃ、６ｄを備えており、一対の下側送りねじ７ａ、７ｂのうちの一方の下側送りねじ７ａには一対のクリンチャ４ａ、４ｂのうちの一方のクリンチャ４ａが螺合しており、一対の下側送りねじ７ａ、７ｂのうちの他方の下側送りねじ７ｂには一対のクリンチャ４ａ、４ｂのうちの他方のクリンチャ４ｂが螺合している。
【００２３】
また、上側送りねじ５ａ、５ｂのそれぞれの基端側の上方には、モータ８ａ、８ｂが配置されている。モータ８ａ、８ｂはフレーム（図示しない）に取り付けられ、モータ８ａ、８ｂの駆動軸が上側送りねじ５ａ、５ｂに平行にのびている。モータ８ａ、８ｂの駆動軸の先端には、プーリー６ｅ、６ｆが取り付けられている。
【００２４】
そして、モータ８ａのプーリー６ｅ、一方の上側送りねじ５ａのプーリー６ａ、および一方の下側送りねじ７ａのプーリー６ｃ間にはエンドレスベルト９ａが掛け渡され、一方、モータ８ｂのプーリー６ｆ、他方の上側送りねじ５ｂのプーリー６ｂ、および他方の下側送りねじ７ｂのプーリー６ｄ間にはエンドレスベルト９ｂが掛け渡されている。
【００２５】
そして、モータ８ａの駆動軸が正逆回転することによって、一方のスティッチャーヘッド３ａおよび一方のクリンチャ４ａが一体的に上側および下側スライドガイド１、２に沿って双方向にスライド運動し、モータ８ｂの駆動軸が正逆回転することによって、他方のスティッチャーヘッド３ｂおよび他方のクリンチャ４ｂが一体的に上側および下側スライドガイド１、２に沿って双方向にスライド運動するようになっている。
【００２６】
一対のスティッチャーヘッド３ａ、３ｂの外側には、一対の増設用ヘッド取付ブロック１０ａ、１０ｂが上側スライドガイド１に対しスライド可能に取り付けられている。
そして、上側スライドガイド１の一端側において隣り合うスティッチャーヘッド３ａおよび増設用ヘッド取付ブロック１０ａが、第１の連結手段１１によって連結され、上側スライドガイド１の他端側において隣り合うスティッチャーヘッド３ｂおよび増設用ヘッド取付ブロック１０ｂが、第２の連結手段１２によって連結されている。
【００２７】
この実施例では、第１および第２の連結手段１１、１２は、それぞれ、直線状のガイドスリット１１ｂ、１２ｂを有する細長い板体１１ａ、１２ａと、板体１１ａ、１２ａのガイドスリット１１ｂ、１２ｂに嵌合し得る２本の固定ネジ１１ｃ、１２ｃとからなっている。
【００２８】
また、図示はしないが、スティッチャーヘッド３ａ、３ｂおよび増設用ヘッド取付ブロック１０ａ、１０ｂのそれぞれの上部に固定ネジ１１ｃ、１２ｃと螺合し得るネジ穴が設けられている。
そして、板体１１ａ、１２ａのガイドスリット１１ｂ、１２ｂが、互いに隣り合うスティッチャーヘッドおよび増設用ヘッド取付ブロック３ａ、１０ａ；３ｂ、１０ｂのネジ穴に整合した状態で、板体１１ａ、１２ａが固定ネジ１１ｃ、１２ｃによって、互いに隣り合うスティッチャーヘッドおよび増設用ヘッド取付ブロック３ａ、１０ａ；３ｂ、１０ｂに固定されている。
【００２９】
この場合、スティッチャーヘッド３ａ、３ｂおよびそれと隣り合う増設用ヘッド取付ブロック１０ａ、１０ｂ間の間隔の調節が、関係する２本の固定ネジ１１ｃ、１２ｃのうちの一方を緩めた後、増設用ヘッド取付ブロック１０ａ、１０ｂを所望の位置までスライドさせ、緩めていた固定ネジ１１ｃ、１２ｃを再び締め付けることによって極めて簡単に行える。
なお、図示はしないが、上側スライドガイド１上または第１および第１の連結手段１１、１２の板体１１ａ、１２ａに長さ測定用の目盛が付されている。
【００３０】
一対のクリンチャ４ａ、４ｂの外側には、一対の増設用クリンチャ取付ブロック１３ａ、１３ｂが下側スライドガイド２に対しスライド可能に取り付けられている。
そして、下側スライドガイド２の一端側において隣り合うクリンチャ４ａおよび増設用クリンチャ取付ブロック１３ａが、第３の連結手段１４によって連結され、下側スライドガイド２の他端側において隣り合うクリンチャ４ｂおよび増設用クリンチャ取付ブロック１３ｂが、第４の連結手段１５によって連結されている。
【００３１】
第３および第４の連結手段１４、１５はいずれも第１および第２の連結手段１１、１２と同一の構成を有していて、直線状のガイドスリット１４ｂ、１５ｂを有する細長い板体１４ａ、１５ａと、板体１４ａ、１５ａのガイドスリット１４ｂ、１５ｂに嵌合し得る２本の固定ネジ１４ｃ、１５ｃとからなっている。
【００３２】
また、図示はしないが、クリンチャ４ａ、４ｂおよび増設用クリンチャ取付ブロック１３ａ、１３ｂのそれぞれの下部に固定ネジ１４ｃ、１５ｃと螺合し得るネジ穴が設けられている。
そして、板体１４ａ、１５ａのガイドスリット１４ｂ、１５ｂが、互いに隣り合うクリンチャおよび増設用クリンチャ取付ブロック４ａ、１３ａ；４ｂ、１３ｂのネジ穴に整合した状態で、板体１４ａ、１５ａが固定ネジ１４ｃ、１５ｃによって、互いに隣り合うクリンチャおよび増設用クリンチャ取付ブロック４ａ、１３ａ；４ｂ、１３ｂに固定されている。
【００３３】
こうして、通常の針金２カ所打ちの場合には、増設用ヘッド取付ブロック１０ａ、１０ｂおよび増設用クリンチャ取付ブロック１３ａ、１３ｂには増設用スティッチャーヘッドおよび増設用クリンチャは取り付けられず、中綴じ製本機の初期設定時に、中綴じ製本すべき用紙束の綴じ位置の配置に応じて、一方のスティッチャーヘッド３ａおよびそれに対応するクリンチャ４ａからなる対と、他方のスティッチャーヘッド３ｂおよびそれに対応するクリンチャ４ｂからなる対との間の間隔が調節される。
【００３４】
また、２丁製本で針金４カ所打ちする場合は、増設用ヘッド取付ブロック１０ａ、１０ｂに増設用スティッチャーヘッドが取り付けられる一方、増設用クリンチャ取付ブロック１３ａ、１３ｂには増設用クリンチャが取り付けられて、対応する増設用スティッチャヘッド１６ａ、１６ｂに対向配置される。
この状態を図２および図３に示した。なお、図２および図３中、Ｐは２面付けされた用紙束であり、Ｐ１およびＰ２はそれぞれ冊子であり、用紙束Ｐ中のハッチングで描かれた領域は、針金綴じ工程の後段の断裁工程で除去される部分を表している。
【００３５】
２丁製本の針金４カ所打ちの場合、中綴じ製本機の初期設定時には、前段の印刷工程で予め取得された印刷情報に基づき、図４に示すように、中綴じ製本機のディスプレイに針金打ちに必要な情報が表示される。
そして、このディスプレイ表示された冊子Ｐ１、Ｐ２のそれぞれの針金打ち込み位置間の間隔に応じて、上側スライドガイド１の一端側の隣り合うスチィッチャーヘッド３ａおよび増設用スティッチャーヘッド１６ａ間の間隔と、それに対応して下側スライドガイド２の一端側の隣り合うクリンチャ４ａおよび増設用クリンチャ１７ａ間の間隔が手動で調節されるとともに、上側スライドガイド１の他端側の隣り合うスティッチャーヘッド４ｂおよび増設用スティッチャーヘッド１６ｂ間の間隔と、それに対応して下側スライドガイド２の他端側の隣り合うクリンチャ４ｂおよび増設用クリンチャ１７ｂ間の間隔が手動で調節される。
【００３６】
次いで、冊子Ｐ１、Ｐ２間の間隔および各冊子Ｐ１、Ｐ２のサイズ（背方向の長さ）に応じて、一対のスティッチャーヘッド３ａ、３ｂ間の間隔と、一対のクリンチャ４ａ、４ｂ間の間隔が同時に自動的に調節される。このとき、各スティッチャーヘッドとそれと隣り合う増設用スティッチャーヘッドとの対、および各クリンチャとそれと隣り合う増設用クリンチャとの対はそれぞれ一体的にスライドするので、既に手動で調節された各スティッチャーヘッドおよびそれと隣り合う増設用スティッチャーヘッド間の間隔、および各クリンチャおよびそれと隣り合う増設用クリンチャ間の間隔は維持される。
【００３７】
こうして、本発明によれば、２丁製本時の針金４カ所打ちのスティッチャーヘッドおよびクリンチャの位置調節が短時間で行える。また、多大なコストをかけずに、通常の針金２カ所打ちと２丁製本の針金４カ所打ちに切り替え使用可能な針金綴じユニットを提供することができる。
【００３８】
以上、本発明の好ましい実施例を説明したが、本発明の構成は上記実施例に限定されず、本願の特許請求の範囲に記載した構成の範囲内で種々の変形例を案出できる。
例えば、上記実施例では、一対の増設用ヘッド取付ブロックを一対のスティッチャーヘッドの外側に配置するとともに、一対の増設用クリンチャ取付ブロックを一対のクリンチャの外側に配置したが、その代わりに、一対の増設用ヘッド取付ブロックを一対のスティッチャーヘッドの内側に配置するとともに、一対の増設用クリンチャ取付ブロックを一対のクリンチャの内側に配置することもできる。
また、第１および第２の連結手段は、互いに隣り合うスティッチャーヘッドおよび増設用ヘッド取付ブロックを連結可能な任意の構成を取り得るし、第３および第４の連結手段は、互いに隣り合うクリンチャおよび増設用クリンチャ取付ブロックを連結可能な任意の構成を取り得る。
【符号の説明】
【００３９】
１  上側スライドガイド
２  下側スライドガイド
３ａ、３ｂ  スティッチャーヘッド
４ａ、４ｂ  クリンチャ
５ａ、５ｂ  上側送りねじ
６ａ〜６ｆ  プーリー
７ａ、７ｂ  下側送りねじ
８ａ、８ｂ  モータ
９ａ、９ｂ  エンドレスベルト
１０ａ、１０ｂ  増設用ヘッド取付ブロック
１１  第１の連結手段
１１ａ  板体
１１ｂ  ガイドスリット
１１ｃ  固定ネジ
１２  第２の連結手段
１２ａ  板体
１２ｂ  ガイドスリット
１２ｃ  固定ネジ
１３ａ、１３ｂ  増設用クリンチャ取付ブロック
１４  第３の連結手段
１４ａ  板体
１４ｂ  ガイドスリット
１４ｃ  固定ネジ
１５  第４の連結手段
１５ａ  板体
１５ｂ  ガイドスリット
１５ｃ  固定ネジ
１６ａ、１６ｂ  増設用スティッチャーヘッド
１７ａ、１７ｂ  増設用クリンチャ
Ｓ  用紙束
Ｐ１、Ｐ２  冊子
【図１】
2018103372.tif 000003
【図２】
2018103372.tif 000004
【図３】
2018103372.tif 000005
【図４】
2018103372.tif 000006